(57)【要約】【課題】画像形成装置において、ユーザが指定したページの出力イメージ画像とともにジョブの全体像を容易、確実、迅速に確認することができるプレビュー機能を提供する。【解決手段】本発明に係る画像形成装置によれば、操作部によりプレビュー表示対象のジョブが選択されると、制御部は、選択されたジョブを編集内容及び後処理内容が同一であるページからなるページ束に分類し、操作部からプレビューの表示対象ページが指定されると、指定された表示対象ページの出力イメージ画像とともに、分類された各ページ束を示す画像であって各ページ束のページ数をそのページ数に応じた厚みで表現したイメージ画像を、ジョブにおける各ページ束の配列順序に従って互いの位置をずらして表示部のプレビュー画面上に表示させる。【選択図】図５
2010220007.tif 000002
【特許請求の範囲】
【請求項１】
ジョブに基づいて生成されるプリント物の出力イメージ画像を表示する表示部と、
前記出力イメージ画像の表示対象ページを指定するための操作部と、
前記ジョブを編集内容及び後処理内容が同一であるページからなるページ束に分類し、前記操作部により指定された表示対象ページの出力イメージ画像とともに、前記分類された各ページ束を示す画像であって、前記各ページ束のページ数をそのページ数に応じた厚みで表現したイメージ画像を、前記ジョブにおける各ページ束の配列順序に従って互いの位置をずらして前記表示部に表示させる制御部と、
を備える画像形成装置。
【請求項２】
前記制御部は、前記表示対象ページを含むページ束のイメージ画像上に前記表示対象ページの出力イメージ画像を表示させる請求項１に記載の画像形成装置。
【請求項３】
前記ジョブに基づいて生成されるプリント物において前記操作部により指定された表示対象ページが隣接するページと見開きとなる場合は、前記表示対象ページを含むページ束を見開きとしたイメージ画像で表示し、当該表示対象ページ及び前記隣接するページの出力イメージ画像を前記ページ束の見開きのイメージ画像上に表示させる請求項２に記載の画像形成装置。
【請求項４】
前記各ページ束のイメージ画像は、前記各ページ束の後処理の内容を示す画像を含む請求項１〜３の何れか一項に記載の画像形成装置。
【請求項５】
ジョブに基づいて生成されるプリント物の出力イメージ画像を表示する表示部と、前記出力イメージ画像の表示対象ページを指定するための操作部と、制御部と、を備える画像形成装置における表示制御方法であって、
前記制御部により、
前記ジョブを編集内容及び後処理内容が同一であるページからなるページ束に分類する工程と、
前記ジョブを編集内容及び後処理内容が同一のページからなるページ束に分類し、前記操作部により指定された表示対象ページの出力イメージ画像とともに、前記分類された各ページ束を示す画像であって、前記各ページ束のページ数をそのページ数に応じた厚みで表現したイメージ画像を、前記ジョブにおける各ページ束の配列順序に従って互いの位置をずらして前記表示部に表示させる工程と、
を含む表示制御方法。
【請求項６】
画像形成装置に用いられるコンピュータを、
ジョブに基づいて生成されるプリント物の出力イメージ画像を表示する表示部、
前記出力イメージ画像の表示対象ページを指定するための操作部、
前記ジョブを編集内容及び後処理内容が同一であるページからなるページ束に分類し、前記操作部により指定された表示対象ページの出力イメージ画像とともに、前記分類された各ページ束を示す画像であって、前記各ページ束のページ数をそのページ数に応じた厚みで表現したイメージ画像を、前記ジョブにおける各ページ束の配列順序に従って互いの位置をずらして前記表示部に表示させる制御部、
として機能させるためのプログラム。
【発明の詳細な説明】
【技術分野】
【０００１】
本発明は、画像形成装置、表示制御方法及びプログラムに関する。
【背景技術】
【０００２】
従来、ジョブに基づいて生成されるプリント物を事前にユーザが確認するための機能として、指定されたページの出力イメージ画像を画面上に表示して提示するプレビュー機能が知られている。
【０００３】
また、特許文献１には、製本印刷が指定されている場合に、製本された状態で見開きとなる関係のページが見開きの状態となるように印刷データをプレビュー表示する技術、各ページの画像を製本単位ごとに区切って表示する技術等が記載されている。
【先行技術文献】
【特許文献】
【０００４】
【特許文献１】特開２００１−１３６３６４号公報
【発明の概要】
【発明が解決しようとする課題】
【０００５】
しかしながら、上述の技術においては、ユーザはプレビュー表示を見てもジョブの全体像を把握することができない。即ち、１つのジョブ内に編集内容や後処理内容が異なるページ束が混在しているのか、混在しているのであれば、それぞれのページ束がどのような仕上がりとなるのか等を把握することができない。また、指定されたページのジョブ全体の中での位置付けも確認することができない。
【０００６】
本発明の課題は、画像形成装置において、ユーザが指定したページの出力イメージ画像とともにジョブの全体像を容易、確実、迅速に確認することができるプレビュー機能を提供することである。
【課題を解決するための手段】
【０００７】
上記課題を解決するため、請求項１に記載の発明の画像形成装置は、
ジョブに基づいて生成されるプリント物の出力イメージ画像を表示する表示部と、
前記出力イメージ画像の表示対象ページを指定するための操作部と、
前記ジョブを編集内容及び後処理内容が同一であるページからなるページ束に分類し、前記操作部により指定された表示対象ページの出力イメージ画像とともに、前記分類された各ページ束を示す画像であって、前記各ページ束のページ数をそのページ数に応じた厚みで表現したイメージ画像を、前記ジョブにおける各ページ束の配列順序に従って互いの位置をずらして前記表示部に表示させる制御部と、
を備える。
【０００８】
請求項２に記載の発明は、請求項１に記載の発明において、
前記制御部は、前記表示対象ページを含むページ束のイメージ画像上に前記表示対象ページの出力イメージ画像を表示させる。
【０００９】
請求項３に記載の発明は、請求項２に記載の発明において、
前記ジョブに基づいて生成されるプリント物において前記操作部により指定された表示対象ページが隣接するページと見開きとなる場合は、前記表示対象ページを含むページ束を見開きとしたイメージ画像で表示し、当該表示対象ページ及び前記隣接するページの出力イメージ画像を前記ページ束の見開きのイメージ画像上に表示させる。
【００１０】
請求項４に記載の発明は、請求項１〜３の何れか一項に記載の発明において、 
前記各ページ束のイメージ画像は、前記各ページ束の後処理の内容を示す画像を含む。
【００１１】
請求項５に記載の発明は、
ジョブに基づいて生成されるプリント物の出力イメージ画像を表示する表示部と、前記出力イメージ画像の表示対象ページを指定するための操作部と、制御部と、を備える画像形成装置における表示制御方法であって、
前記制御部により、
前記ジョブを編集内容及び後処理内容が同一であるページからなるページ束に分類する工程と、
前記ジョブを編集内容及び後処理内容が同一のページからなるページ束に分類し、前記操作部により指定された表示対象ページの出力イメージ画像とともに、前記分類された各ページ束を示す画像であって、前記各ページ束のページ数をそのページ数に応じた厚みで表現したイメージ画像を、前記ジョブにおける各ページ束の配列順序に従って互いの位置をずらして前記表示部に表示させる工程と、
を含む。
【００１２】
請求項６に記載の発明のプログラムは、
画像形成装置に用いられるコンピュータを、
ジョブに基づいて生成されるプリント物の出力イメージ画像を表示する表示部、
前記出力イメージ画像の表示対象ページを指定するための操作部、
前記ジョブを編集内容及び後処理内容が同一であるページからなるページ束に分類し、前記操作部により指定された表示対象ページの出力イメージ画像とともに、前記分類された各ページ束を示す画像であって、前記各ページ束のページ数をそのページ数に応じた厚みで表現したイメージ画像を、前記ジョブにおける各ページ束の配列順序に従って互いの位置をずらして前記表示部に表示させる制御部、
として機能させる。
【発明の効果】
【００１３】
本発明によれば、画像形成装置において、ユーザが指定したページの出力イメージ画像とともにジョブの全体像を容易、確実、迅速に確認することができるプレビュー機能を提供することが可能となる。
【図面の簡単な説明】
【００１４】
【図１】本発明に係る画像形成装置の機能的構成を示すブロック図である。
【図２】図１の記憶部に記憶されるジョブ情報の一例を示す図である。
【図３Ａ】図１の制御部により実行されるプレビュー画面表示処理を示すフローチャートである。
【図３Ｂ】図１の制御部により実行されるプレビュー画面表示処理を示すフローチャートである。
【図４】指定ページが第１ページの場合に図１の表示部に表示されるプレビュー画面の一例を示す図である。
【図５】指定ページが奇数ページの場合に図１の表示部に表示されるプレビュー画面の一例を示す図である。
【図６】指定ページが偶数ページの場合に図１の表示部に表示されるプレビュー画面の一例を示す図である。
【発明を実施するための形態】
【００１５】
以下、図を参照して本発明に係る実施の形態を説明する。
図１に、本実施の形態における画像形成装置１の機能構成例を示す。図１に示すように、画像形成装置１は、制御部１０、画像読取部２０、表示操作部３０、記憶部４０、画像処理部５０、画像形成部６０、後処理部７０、通信部８０等を備えて構成される。
【００１６】
制御部１０は、ＣＰＵ（Central Processing Unit）１１、ＲＡＭ（Random Access Memory）１２、ＲＯＭ（Read Only Memory）１３等により構成される。ＲＯＭ１３には、各種処理プログラムが記憶されており、ＣＰＵ１１は、ＲＯＭ１３に記憶されている各種プログラムを読み出してＲＡＭ１２に展開し、展開したプログラムに従って後述するプレビュー画面表示処理を始めとする各種処理を実行する。
【００１７】
画像読取部２０は、原稿を載置するコンタクトガラスの下部にスキャナを備えて構成され、原稿の画像を読み取る。スキャナは、光源、ＣＣＤ（Charge Coupled Device）等に
より構成され、光源から原稿へ照明走査した光の反射光を結像して光電変換することにより原稿の画像を読み取り、読み取った画像をＡ／Ｄ変換器によりデジタル画像データに変換して画像処理部５０に出力する。
【００１８】
表示操作部３０は、ＬＣＤ（Liquid Crystal Display）等の表示パネルからなる表示部３１と、表示部３１を覆うように設けられたタッチパネルやテンキー、各種の操作キーからなる操作部３２と、を備えて構成され、ユーザによる操作入力を受け付けて操作信号を制御部１０に出力するとともに、制御部１０から入力される制御信号に従って、各種操作画面、画像の状態表示、各機能の動作状況等の表示を行う。
【００１９】
例えば、表示部３１は、制御部１０から入力される制御信号に従って、ジョブに基づいて生成されるプリント物の出力イメージ画像を含むプレビュー画面（図４〜図６参照）を表示する。
【００２０】
記憶部４０は、半導体等の不揮発性メモリ、ＨＤＤ（Hard Disk Drive）等により構成され、操作部３２又は通信部８０を介して入力されたジョブのジョブ情報４０１や、画像読取部２０や通信部８０を介して入力されたジョブの画像データ等を記憶する。ここで、ジョブとは、画像形成装置１において一連の画像形成及び後処理動作を行わせるための情報を指し、具体的には、一連のページの画像データ、及び各ページの編集内容及び後処理内容を示すジョブ情報４０１からなる。
【００２１】
図２に、ジョブ情報４０１の一例を示す。図２に示すように、ジョブ情報４０１は、各ページの編集情報及び後処理情報を含んで構成されている。編集情報は、画像処理部５０や画像形成部６０において行われる編集内容を示す情報である。編集情報には、例えば、紙サイズ（Ａ４、Ｂ４、・・・）、片面／両面、ページ集約（なし、２ｉｎ１、４ｉｎ１、・・・）、章分け、タブ紙挿入、紙種、スタンプ等の情報が含まれる。後処理情報は、後処理部７０において行われる後処理内容を示す情報である。後処理情報には、例えば、ステープル（左２ヶ所、左上、・・・）、パンチ穴（２穴、３穴、４穴・・・）、折り（重ね三つ折、重ね中折等）、ソート等）の情報が含まれる。ジョブ情報４０１は、１つのジョブ毎に記憶されている。
制御部１０は、ジョブが入力されると、ジョブを識別するためのジョブＩＤをジョブ情報４０１及びジョブの画像データに付与して記憶部４０に記憶させる。
【００２２】
画像処理部５０は、入力された画像データにγ調整処理、空間フィルタ処理、拡大／縮小処理、回転処理、色変換処理、ラスタライズ処理等の画像処理を施して画像形成部６０に出力する。
【００２３】
画像処理部５０により画像データに施される各処理は、画像処理部５０に設けられた図示しないＣＰＵと、画像処理部５０内に設けられたメモリに記憶されているプログラムとの協働により実現されることとするが、専用のハードウエアにより実現するようにしてもよい。また、画像処理部５０は、画像処理後のデータを圧縮して一時的に記憶し、所定のタイミングで伸張して画像形成部６０に出力するため、メモリコントローラ、一時記憶メモリ、圧縮／伸張ＩＣ等を備えているが、ここでは図示しない。
【００２４】
画像形成部６０は、画像処理部５０から出力された画像処理済みの画像データに基づいて、電子写真方式により用紙に画像を形成する。
具体的には、画像形成部６０は、パルス幅変調器、レーザ光源、感光ドラム、帯電器、現像器、給紙部、排紙部、定着装置等を備えて構成されており、制御部１０からの指示に従って、画像処理部５０から入力された画像データをパルス幅変調器によりパルス幅変調してレーザ光を発光させ、帯電器により帯電された感光ドラム表面にレーザ光を照射することにより静電潜像を形成する。そして、画像形成部６０は、制御部１０から指示されたサイズ、向きの用紙を給紙部から搬送し、感光ドラム表面の静電潜像を含む領域に現像器によりトナーを付着させ、搬送された用紙にトナーを転写して定着させた後、後処理部７０に排出する。
【００２５】
なお、本実施の形態では、画像形成部６０を電子写真方式で画像形成を行うものとして説明するが、これに限定されるものではない。画像形成部６０としては、インクジェット方式、熱転写方式、昇華方式、ドットインパクト方式等、他の方式の画像形成を行うものとしてもよい。
【００２６】
後処理部７０は、制御部１０の指示により、画像形成部６０で画像形成された用紙に、ソート処理、パンチ（穿孔）処理、ステープル処理、綴じ処理、裁断処理等の各種後処理を施して排紙トレイから排出する。
【００２７】
通信部８０は、ＬＡＮ（Local Area Network）、ＷＡＮ（Wide Area Network）等の通信ネットワークに接続された伝送媒体に接続可能なインターフェースである。通信部８０は、例えばＬＡＮカード等の通信制御カードにより構成され、ＬＡＮケーブル等の通信回線を介して接続されたホスト装置等の外部の装置との間でジョブ情報、画像データを始めとする各種データの送受信を行う。
【００２８】
次に、本実施の形態の動作について説明する。
図３Ａ〜図３Ｂに、制御部１０により実行されるプレビュー画面表示処理を示す。プレビュー画面表示処理は、操作部３２によりプレビュー画面の表示が指示された際に、ＣＰＵ１１とＲＯＭ１３に記憶されているプログラムとの協働により実行される。
【００２９】
まず、表示部３１に記憶部４０に記憶されているジョブの一覧が表示され、操作部３２によりプレビューの表示対象のジョブが選択されたか否かが判断される（ステップＳ１）。操作部３２によりプレビューの表示対象のジョブが選択されたと判断されると（ステップＳ１；ＹＥＳ）、記憶部４０に記憶されている選択されたジョブのジョブ情報４０１が参照され、各ページの編集情報及び後処理情報の内容に基づいてジョブが編集内容及び後処理内容が同一であるページからなるページ束に分類される（ステップＳ２）。
【００３０】
ステップＳ２においては、記憶部４０に記憶されている選択されたジョブのジョブ情報４０１が参照され、順次ｎページ目とｎ＋１ページ目の編集情報及び後処理情報が比較される。比較の結果、両者が一致している場合、ｎページ目とｎ＋１ページ目が同じページ束に分類される。両者が一致しない場合、ｎページ目とｎ＋１ページ目が異なるページ束に分類される。例えば、図２に示すジョブ情報４０１では、１から５０ページまでが同一のページ束、５１ページから７５ページまでが同一のページ束、７６ページから１００ページまでが同一のページ束に分類される。即ち、ジョブが３つのページ束に分類される。
【００３１】
次いで、操作部３２によりプレビューの表示対象ページが指定されたか否かが判断される。表示対象ページは、例えば、操作部３２のテンキーを押下することにより指定することができる。操作部３２により表示対象ページが指定されたと判断されると（ステップＳ３；ＹＥＳ）、第１ページが指定されたか否かが判断される（ステップＳ４）。操作部３２により表示対象ページとして第１ページが指定されたと判断されると（ステップＳ４；ＹＥＳ）、指定された第１ページの出力イメージ画像Ｇ及び第１ページを含むページ束のイメージ画像Ｐ１が作成され、表示部３１に表示される（ステップＳ５）。ここで、イメージ画像Ｐ１は、第１ページの出力イメージ画像Ｇ、そのページ束のページ数に対応する厚み部Ｔ１、そのページ束に施される編集内容及び後処理内容を示す画像Ｅ１を含んで構成される画像である（図４参照）。
【００３２】
次いで、第１ページを含むページ束より後にページ束があるか否かが判断される。第１ページを含むページ束より後にページ束があると判断されると（ステップＳ６；ＹＥＳ）、第１ページを含むページ束の後に存在するページ束のイメージ画像Ｐ２〜Ｐｉ（ｉはジョブに存在するページ束の数）が作成され、作成されたイメージ画像Ｐ２〜Ｐｉがイメージ画像Ｐ１の第１ページの下に、ジョブによる配列順序に従って互いの位置を画面の所定方向に所定量ずつずらして順次重ねて表示され（ステップＳ７）、処理はステップＳ２０に移行する。
イメージ画像Ｐ１の下に順次表示されるページ束のイメージ画像Ｐ２〜Ｐｉは、それぞれそのページ束のページ数に対応する厚み部Ｔ２〜Ｔｉ、編集内容及び後処理内容を示す画像Ｅ２〜Ｅｉを有する画像である（図４参照。Ｅ２〜Ｅｉは図示せず）。
【００３３】
図４に、ステップＳ７において表示部３１に表示されるイメージ画像Ｐ１〜Ｐｎを含むプレビュー画面の一例を示す。図４は、プレビュー表示対象のジョブとして図２に示すジョブ情報４０１のジョブが選択され、その第１ページが指定された場合に表示されるプレビュー画面の例である。
【００３４】
図２に示すジョブ情報４０１によれば、編集情報及び後処理情報によってジョブが３つのページ束に分類されるので、図４に示すように、プレビュー画面には、イメージ画像Ｐ１、イメージ画像Ｐ２、イメージ画像Ｐ３が画面のｘ方向にｄ１、ｙ方向にｄ２ずつ位置をずらして表示されている。
図４に示すように、イメージ画像Ｐ１には、第１ページの出力イメージ画像Ｇ、第１ページを含むページ束のページ数に対応する厚み部Ｔ１、第１ページを含むページ束の編集内容及び後処理内容（ここでは、左２ヶ所のステープル）を示す画像Ｅ１を含んでいる。
イメージ画像Ｐ２〜Ｐ３は、それぞれのページ束のページ数に対応する厚み部Ｔ２、Ｔ３を含んでいる。イメージ画像Ｐ２、Ｐ３に対応するページ束のページ数は、イメージ画像Ｐ１に対応するページ束のページ数の１／２倍であるので、イメージ画像Ｐ２、Ｐ３における厚み部Ｔ２、Ｔ３は、イメージ画像Ｐ１における厚み部Ｔ１の１／２倍で表現されている。
イメージ画像Ｐ１、イメージ画像Ｐ２、イメージ画像Ｐ３のそれぞれの近傍には、各イメージ画像が示すページ束に含まれるページ範囲ＰＮ１、ＰＮ２、ＰＮ３が表示されている。また、プレビュー画面下部には、表示対象ページ（出力イメージ画像Ｇの対象となっているページ）のページ番号／ジョブ全体ページ数が表示されている。
なお、図４においては、イメージ画像Ｐ２、Ｐ３の編集内容及び後処理内容を示す画像Ｅ２、Ｅ３は隠れて見えないが、上に重ねて表示されたイメージ画像をドラッグ等によりずらすことにより確認することが可能である。
【００３５】
図４に示すように、ジョブの第１ページが表示対象ページとして指定されると、プレビュー画面には、指定された第１ページの出力イメージ画像Ｇとともに、ジョブにおいて編集内容及び後処理内容が同一であるページからなるページ束のイメージ画像Ｐ１〜Ｐｉがジョブによる配列順序で互いに位置をずらして表示される。イメージ画像Ｐ１〜Ｐｎは、それぞれページ数に応じた厚み部Ｔ１〜Ｔｎと、編集内容及び後処理内容を示す画像Ｅ１〜Ｅｎとを含む。そのため、ジョブ内で編集内容及び後処理内容の異なるページ束が混在する場合であっても、第１ページの画像とともに、ジョブ全体に編集内容及び後処理内容の異なるページ束がいくつ存在するか、各ページ束のページ数はどのくらいか、各ページの編集内容及び後処理内容はどのようなものか等のジョブの全体像をユーザが容易に把握することが可能となり、ジョブの内容の確認が容易、迅速、確実となる。
【００３６】
図３ＡのステップＳ４において、操作部３２により表示対象ページとして第１ページが指定されず（ステップＳ４；ＮＯ）、第１ページ以外の奇数ページが指定されたと判断されると（ステップＳ８；ＹＥＳ）、指定ページと（指定ページ−１）ページの見開きの出力イメージ画像Ｇａ及び指定ページを含むページ束のイメージ画像Ｐａが作成され、表示部３１に表示される（ステップＳ９）。ここで、指定ページを含むページ束のイメージ画像Ｐａは、指定ページと（指定ページ−１）ページの見開きの出力イメージ画像Ｇａの他、そのページ束の（指定ページ−１）までのページ数に対応する厚み部Ｔａ０１及びそのページ束の指定ページ以降のページ数に対応する厚みＴａ０２、そのページ束に施される編集内容及び後処理内容を示す画像Ｅａを含んで構成される画像である（図５参照）。
【００３７】
次いで、指定ページを含むページ束より前にページ束があるか否かが判断される。指定ページを含むページ束より前にページ束があると判断されると（ステップＳ１０；ＹＥＳ）、表示されているページ束の前に存在するページ束のイメージ画像Ｐａ−１〜Ｐａ−ｊ（ｊは指定ページを含むページ束の前に存在するページ束の数）が作成され、作成されたイメージ画像Ｐａ−１〜Ｐａ−ｊがイメージ画像Ｐａの（指定ページ−１）の上に互いの位置を画面の所定方向に所定量ずつずらしてジョブによる配列順序で順次重ねて表示される（ステップＳ１１）。
【００３８】
次いで、指定ページを含むページ束より後にページ束があるか否かが判断される。指定ページを含むページ束より後にページ束があると判断されると（ステップＳ１２；ＹＥＳ）、表示されているページ束の後に存在するページ束のイメージ画像Ｐａ＋１〜Ｐａ＋ｋ（ｋは指定ページを含むページ束の後に存在するページ束の数）が作成され、作成されたイメージ画像Ｐａ＋１〜Ｐａ＋ｋがイメージ画像Ｐａの指定ページの下に互いの位置を画面の所定方向に所定量ずつずらしてジョブによる配列順序で順次重ねて表示され（ステップＳ１３）、処理はステップＳ２０に移行する。
【００３９】
図５に、ステップＳ９〜Ｓ１３の処理によって表示部３１に表示されるイメージ画像Ｐａ、Ｐａ−１〜Ｐａ−ｊ、Ｐａ＋１〜Ｐａ＋ｋを含むプレビュー画面の一例を示す。図５は、プレビュー表示対象のジョブとして図２に示すジョブ情報４０１のジョブが選択され、第１ページ以外の奇数ページ（表面）が指定された場合に表示されるプレビュー画面である。
【００４０】
図２に示すジョブ情報４０１によれば、編集情報及び後処理情報によってジョブが３つのページ束に分類され、指定されたページ（６３ページ）は中央のページ束であるので、図５に示すように、プレビュー画面には、イメージ画像Ｐａ、イメージ画像Ｐａ−１、イメージ画像Ｐａ＋１の３つのイメージ画像が表示されている。イメージ画像Ｐａとイメージ画像Ｐａ−１、イメージ画像Ｐａとイメージ画像Ｐａ＋１は、それぞれ画面のｘ方向にｄ１、ｙ方向にｄ２ずつ位置をずらして表示されている。
図５に示すように、イメージ画像Ｐａは、指定ページと（指定ページ−１）の見開きの出力イメージ画像Ｇａ、指定ページを含むページ束のうち（指定ページ−１）までのページ数に対応する厚み部Ｔａ０１、指定ページを含むページ束のうち指定ページ以降のページ数に対応する厚み部Ｔａ０２、編集内容及び後処理内容を示す画像Ｅａを含んでいる。イメージ画像Ｐａ−１は、ページ束のページ数に対応する厚み部Ｔａ−１、編集内容及び後処理内容を示す画像Ｅａ−１を含んでいる。イメージ画像Ｐａ＋１は、ページ束のページ数に対応する厚み部Ｔａ＋１、編集内容及び後処理内容を示す画像Ｅａ＋１を含んでいる。
イメージ画像Ｐａ−１、イメージ画像Ｐａ、イメージ画像Ｐａ＋１のそれぞれの近傍には、各イメージ画像が示すページ束に含まれるページ範囲ＰＮａ−１、ＰＮａ、ＰＮａ＋１が表示されている。また、プレビュー画面下部には、表示対象ページ（出力イメージ画像Ｇａの対象となっているページ）のページ番号／ジョブ全体ページ数が表示されている。
なお、図５においては、編集内容及び後処理内容を示す画像Ｅａ＋１は隠れて見えないが、ドラッグ等により上に表示されたイメージ画像をずらすことにより確認することが可能である。
【００４１】
図５に示すように、ジョブの第１ページ以外の奇数ページが表示対象ページとして指定されると、プレビュー画面には、指定ページ及び隣り合うページが見開きで表示された出力イメージ画像Ｇａとともに、ジョブにおいて編集内容及び後処理内容が同一のページからなるページ束のイメージ画像Ｐａ−１〜Ｐａ−ｊ、Ｐａ、Ｐａ＋１〜Ｐａ＋ｋがジョブの配列順序で互いに位置をずらして表示される。イメージ画像Ｐａ−１〜Ｐａ−ｊ、Ｐａ、Ｐａ＋１〜Ｐａ＋ｋは、それぞれページ数に応じた厚み部（Ｔａ−１〜Ｔａ−ｊ、Ｔａ０１、Ｔａ０２、Ｔａ＋１〜Ｔａ＋ｋ）と、編集内容及び後処理内容を示す画像（Ｅａ−１〜Ｅａ−ｊ、Ｅａ、Ｅａ＋１〜Ｅａ＋ｋ）を含む。そのため、ジョブ内で編集内容及び後処理内容の異なるページ束が混在する場合であっても、指定ページを含む見開きのプレビュー表示とともに、ジョブ全体に編集内容及び後処理内容の異なるページ束がいくつ存在するか、各ページ束のページ数はどのくらいか、各ページの編集内容及び後処理内容はどのようなものか、指定ページはジョブ全体のどのあたりに位置するか等のジョブの全体像をユーザが容易に把握することが可能となり、ジョブの確認が容易、迅速、確実となる。
【００４２】
図３ＡのステップＳ８において、操作部３２により表示対象のページとして奇数ページが指定されず（ステップＳ８；ＮＯ）、偶数ページが指定されたと判断されると（ステップＳ１４；ＹＥＳ）、指定ページと（指定ページ＋１）ページの見開きの出力イメージ画像Ｇｂ及び指定ページを含むページ束のイメージ画像Ｐｂが作成され、表示部３１に表示される（ステップＳ１５）。ここで、指定ページを含むページ束のイメージ画像Ｐｂは、指定ページと（指定ページ＋１）ページの見開きの出力イメージ画像Ｇｂの他、そのページ束の指定ページまでのページ数に対応する厚み部Ｔｂ０１及びそのページ束の（指定ページ＋１）ページ以降のページ数に対応する厚みＴｂ０２、そのページ束に施される編集内容及び後処理内容を示す画像Ｅｂを有する画像である（図６参照）。
【００４３】
次いで、指定ページを含むページ束より前にページ束があるか否かが判断される。指定ページを含むページ束より前にページ束があると判断されると（ステップ１６；ＹＥＳ）、表示されているページ束の前に存在するページ束のイメージ画像Ｐｂ−１〜Ｐｂ−ｊ（ｊは指定ページを含むページ束の前に存在するページ束の数）が作成され、作成されたイメージ画像Ｐｂ−１〜Ｐｂ−ｊがイメージ画像Ｐｂの指定ページの下に互いの位置を画面の所定方向に所定量ずつずらしてジョブによる配列順序で順次重ねて表示される（ステップＳ１７）。
【００４４】
次いで、指定ページを含むページ束より後にページ束があるか否かが判断される。指定ページを含むページ束より後にページ束があると判断されると（ステップＳ１８；ＹＥＳ）、表示されているページ束の後に存在するページ束のイメージ画像Ｐｂ＋１〜Ｐｂ＋ｋ（ｋは指定ページを含むページ束の後に存在するページ束の数）が作成され、作成されたイメージ画像Ｐｂ＋１〜Ｐｂ＋ｋがイメージ画像Ｐｂの（指定ページ＋１）ページの上に互いの位置を画面の所定方向に所定量ずつずらしてジョブによる配列順序で順次重ねて表示され（ステップＳ１９）、処理はステップＳ２０に移行する。
【００４５】
図６に、ステップＳ１５〜Ｓ１９の処理によって表示部３１に表示されるイメージ画像Ｐｂ、Ｐｂ−１〜Ｐｂ−ｊ、Ｐｂ＋１〜Ｐｂ＋ｋを含むプレビュー画面の一例を示す。図６は、プレビュー表示するジョブとして図２に示すジョブ情報４０１のジョブが選択され、第１ページ以外の偶数ページ（裏面）が指定された場合に表示されるプレビュー画面である。
【００４６】
図２に示すジョブ情報４０１によれば、編集情報及び後処理情報によってジョブが３つのページ束に分類され、指定されたページは中央のページ束であるので、図６に示すように、プレビュー画面には、イメージ画像Ｐｂ、イメージ画像Ｐｂ−１、イメージ画像Ｐｂ＋１の３つのイメージ画像が表示されている。イメージ画像Ｐｂとイメージ画像Ｐｂ−１、イメージ画像Ｐｂとイメージ画像Ｐｂ＋１は、それぞれ画面のｘ方向にｄ１、ｙ方向にｄ２ずつ位置をずらして表示されている。
図６に示すように、イメージ画像Ｐｂは、指定ページと（指定ページ＋１）の見開きの出力イメージ画像Ｇｂ、指定ページを含むページ束のうち指定ページまでのページ数に対応する厚み部Ｔｂ０１、指定ページを含むページ束のうち（指定ページ＋１）以降のページ数に対応する厚み部Ｔｂ０２、編集内容及び後処理内容を示す画像Ｅｂを含んでいる。イメージ画像Ｐｂ−１は、ページ束のページ数に対応する厚み部Ｔｂ−１、編集内容及び後処理内容を示す画像Ｅｂ−１を含んでいる。イメージ画像Ｐｂ＋１は、ページ束のページ数に対応する厚み部Ｔｂ＋１、編集内容及び後処理内容を示す画像Ｅｂ＋１を含んでいる。
イメージ画像Ｐｂ、イメージ画像Ｐｂ−１、イメージ画像Ｐｂ＋１のそれぞれの近傍には、各イメージ画像が示すページ束に含まれるページ範囲ＰＮｂ−１、ＰＮｂ、ＰＮｂ＋１が表示されている。また、プレビュー画面下部には、表示対象ページ（出力イメージ画像Ｇｂの対象となっているページ）のページ番号／ジョブ全体ページ数が表示されている。
なお、図６においては、編集内容及び後処理内容が隠れて見えないものがあるが、ドラッグ等により上に表示されたイメージ画像をずらすことにより確認することが可能である。
【００４７】
図５は、指定ページとして奇数ページ、即ち用紙の表面が指定されたときのプレビュー画面であり、ジョブに含まれるページ束も表面からみた場合を表示している。一方、図６は、指定ページとして偶数ページ、即ち用紙の裏面が指定されたときのプレビュー画面であり、ジョブに含まれるページ束も裏面からみた場合を表示している。指定ページが表面か裏面かによって異なる態様で表示されるので、表面から見たジョブのイメージと裏面から見たジョブのイメージの双方を確認することができる。
【００４８】
図３ＡのステップＳ３において、プレビュー表示するページが指定されていないと判断された場合（ステップＳ３；ＮＯ）、ステップＳ１４において、偶数ページが指定されていないと判断された場合（ステップＳ１４；ＮＯ）、処理はステップＳ２０に移行する。
【００４９】
ステップＳ２０においては、操作部３２によりプレビュー表示の終了指示が入力されたか否かが判断され、プレビュー表示の終了指示が入力されていないと判断された場合（ステップＳ２０；ＮＯ）、処理はステップＳ３に戻る。ステップＳ１において、操作部３２からプレビュー対象のジョブが選択されない場合（ステップＳ１；ＮＯ）、又はステップＳ２０において、プレビュー表示の終了指示が入力されたと判断された場合（ステップＳ２０；ＹＥＳ）、プレビュー画面表示処理は終了する。
【００５０】
以上説明したように、画像形成装置１によれば、操作部３２によりプレビュー表示対象のジョブが選択されると、制御部１０は、選択されたジョブを編集内容及び後処理内容が同一であるページからなるページ束に分類し、操作部３２からプレビューの表示対象ページが指定されると、指定された表示対象ページの出力イメージ画像とともに、分類された各ページ束を示す画像であって各ページ束のページ数をそのページ数に応じた厚みで表現したイメージ画像を、ジョブにおける各ページ束の配列順序に従って互いの位置をずらして表示部３１のプレビュー画面上に表示させる。
【００５１】
従って、プレビュー画面を一瞥しただけで、ユーザは指定したページの出力イメージ画像とともにジョブの全体像を容易、確実、迅速に確認することが可能となる。
【００５２】
また、制御部１０は、操作部３２により指定された表示対象ページを含むページ束のイメージ画像上に表示対象ページの出力イメージ画像を表示させるので、表示対象ページのジョブ全体における位置付けをユーザが容易、確実、迅速に確認することが可能となる。
【００５３】
また、制御部１０は、ジョブに基づいて生成されるプリント物において操作部３２により指定された表示対象ページが隣接するページと見開きとなる場合は、表示対象ページを含むページ束を見開きとしたイメージ画像で表示し、当該表示対象ページ及び隣接するページの出力イメージ画像をページ束の見開きのイメージ画像上に表示させるので、表示対象ページの見開きの状態をユーザが容易に確認することが可能となる。
【００５４】
また、各ページ束のイメージ画像は、各ページ束の後処理の内容を示す画像を含んで表示されるので、各ページ束にどのような後処理がされるかをユーザが容易に確認することが可能となる。
【００５５】
なお、本実施の形態における記述は、本発明に係る画像形成装置１の好適な一例を示すものであり、これに限定されるものではない。
【００５６】
例えば、上記実施の形態において示したジョブの内容は一例であり、これに限定されるものではない。また、ジョブの編集内容及び後処理内容についても、上記説明で示したものに限定されない。
【００５７】
また、上記実施の形態においては、プレビュー画面に表示する出力イメージ画像及びページ束のイメージ画像の作成を制御部により行うこととして説明したが、専用のハードウエアを備える構成とし、制御部からの指示に従って、ハードウエアによりプレビュー画面に表示する出力イメージ画像及びイメージ画像の作成を行うこととしてもよい。
【００５８】
その他、画像形成装置１を構成する各装置の細部構成及び細部動作に関しても、本発明の趣旨を逸脱することのない範囲で適宜変更可能である。
【符号の説明】
【００５９】
１  画像形成装置
１０  制御部
１１  ＣＰＵ
１２  ＲＡＭ
１３  ＲＯＭ
２０  画像読取部
３０  表示操作部
３１  表示部
３２  操作部
４０  記憶部
５０  画像処理部
６０  画像形成部
７０  後処理部
８０  通信部
【図１】
2010220007.tif 000003
【図２】
2010220007.tif 000004
【図３Ａ】
2010220007.tif 000005
【図３Ｂ】
2010220007.tif 000006
【図４】
2010220007.tif 000007
【図５】
2010220007.tif 000008
【図６】
2010220007.tif 000009